(57)【要約】【課題】  鏡の取り付け箇所の汚れの発生を防止でき、掃除の手間暇を一掃できるだけではなく、取付用の金具や鏡の角で怪我をしたり、また鏡の破損事故の発生を防止できるようにする。【解決手段】  表面２に鏡３を設ける。この鏡３を含めて表面２の全体を、透明の保護膜４で被覆する。この場合本発明は、表面２に鏡３を重合状に設け、この鏡３の周辺部３ａを、外方に向かうに従って次第に表面２の側に傾斜させて傾斜面状に形成するのが良い。また本発明は、表面２に鏡３の固定位置を示す模様６を表示し、この模様６を目安にして模様６の位置に鏡３が配置されているのが良い。【選択図】      図１
2008075327.tif 000002
【特許請求の範囲】
【請求項１】
表面に鏡が設けられ、この鏡を含めて表面の全体が透明の保護膜で被覆されていることを特徴とする鏡機能付き壁パネル。
【請求項２】
請求項１記載の鏡機能付き壁パネルであって、表面に鏡が重合状に設けられ、この鏡の周辺部が外方に向かうに従って次第に表面の側に傾斜して傾斜面状に形成されていることを特徴とする鏡機能付き壁パネル。
【請求項３】
請求項１又は２記載の鏡機能付き壁パネルであって、表面に鏡の固定位置を示す模様が表示され、この模様を目安にして模様の位置に鏡が配置されていることを特徴とする鏡機能付き壁パネル。
【請求項４】
請求項３記載の鏡機能付き壁パネルであって、鏡の固定位置を示す模様が鏡の輪郭であり、この輪郭が鏡の周縁から食み出して鏡を縁取る大きさに表示されていることを特徴とする鏡機能付き壁パネル。
【発明の詳細な説明】
【技術分野】
【０００１】
本発明は、例えば浴室、洗面脱衣室、トイレ等の衛生設備室に使用する壁パネルに関し、更に詳しくは衛生設備室用の鏡機能付き壁パネルに関するものである。
【背景技術】
【０００２】
従来、浴室等で使用する防曇鏡としては、例えば金属板からなるベース基板の表面に、厚さ２ｍｍ以下の鏡面ガラス板からなるミラー板を支持させてなるものが知られている（例えば特許文献１参照）。
【０００３】
ところで従来、例えば浴室の壁面に取り付けられる鏡は、専用の金具で支持されているのが通例である。従って従来は、鏡と金具、また鏡や金具が壁と接触する箇所にカビが発生し易く、この箇所が汚れ易い、という問題点があった。
また従来は、鏡や金具が壁面から段差状に突き出ているのが通例のため、この鏡や金具の角に手を過ってぶつけたり、また鏡がガラス製の場合は割れたり、ひびが入り、破損する惧れがあった。
【特許文献１】特開平９−３１３３１５号公報
【発明の開示】
【発明が解決しようとする課題】
【０００４】
本発明は、このような従来の実情に鑑み、提案されたものである。
従って本発明の解決しようとする技術的課題は、鏡の取り付け箇所の汚れの発生を防止でき、掃除の手間暇を一掃できるだけではなく、取付用の金具や鏡の角で怪我をしたり、また鏡の破損事故の発生を防止できるよう形成した鏡機能付き壁パネルを提供することにある。
【課題を解決するための手段】
【０００５】
本発明は、上記の課題を解決するため、次のような技術的手段を採る。
即ち本発明の壁パネル１は、図１等に示されるように、表面２に鏡３が設けられ、この鏡３を含めて表面２の全体が透明の保護膜４で被覆されていることを特徴とする（請求項１）。
【０００６】
本発明の場合、鏡３は、通常、シート状、フィルム状の、例えばステンレス等の金属材や合成樹脂材をベースに、その表面に、アルミニウム又は銀等の被膜が、真空蒸着等の手段で施されることで形成される。また鏡３は、通常、本発明の壁パネル１より小さく形成されるが、これに限定されるものではなく、例えば同じ大きさに形成され、壁パネル１の全体がミラー状に形成されているのでも良い。また本発明の場合、透明の保護膜４は、例えば紫外線硬化型樹脂や、乾燥硬化型樹脂を表面２に塗布したり、熱収縮性樹脂フィルムで表面２を被覆することで形成される。
【０００７】
また本発明の壁パネル１は、図３に示されるように、表面２に鏡３が重合状に設けられ、この鏡３の周辺部３ａが外方に向かうに従って次第に表面２の側に傾斜して傾斜面状に形成されているのが好ましい（請求項２）。
なぜならこれによると、鏡３の周囲の段差を極めて小さく抑えることができ、保護膜４を途切れさせることなく、滑らかに被覆し易いことからである。またこの場合は、周辺部３ａが鏡３の枠のように表現されるため、鏡３の位置、鏡３の存在を明確に把握し易くなり、その分、使い勝手が良くなることからである。
【０００８】
また本発明は、図４〜図６に示されるように、表面２に鏡３の固定位置を示す模様６が表示され、この模様６を目安にして模様６の位置に鏡３が配置されているのが好ましい（請求項３）。
なぜならこれによると、模様６を目安に、鏡３を、簡単、迅速に取り付けることができ、また模様６が表面２のデザイン性を高めるのに役立つことからである。なお本発明の場合、模様６の表示は、通常、印刷により行われるが、その他例えばシールやテープなどの面状材を、表面２に貼り付けることにより実現するのでも良い。
【０００９】
またこの本発明の場合は、鏡３の固定位置を示す模様６を鏡３の輪郭にし、この輪郭を鏡３の周縁から食み出させて鏡３を縁取る大きさに表示するのが好ましい（請求項４）。
なぜならこれによると、模様６としての輪郭が鏡３の周縁を装飾し、鏡３の位置、鏡３の存在が明確化し、またデザイン上の斬新性や面白味を生じ、商品価値の向上に役立つことからである。
【発明の効果】
【００１０】
本発明の壁パネルは、このように表面に鏡を設け、この鏡を含めて表面の全体を透明の保護膜で被覆しているものである。
従って本発明によれば、鏡の周縁が保護膜で覆われるため、鏡と壁等の境や隙間にカビが発生することを防止でき、この箇所の掃除の手間暇を一掃できる。
また本発明の場合は、取付金具が不要であり、鏡の角が覆われているため、これによれば、金具や鏡の角で怪我をすることを防止できる。
また本発明は、鏡の全体が保護膜で覆われている。従ってこれによれば、鏡に加わる衝撃を緩和でき、鏡の破損事故の防止にも役立つ、という効果がある。
【発明を実施するための最良の形態】
【００１１】
以下、本発明を実施するための最良の形態を説明する。
本発明の壁パネル１は、例えば浴室、洗面脱衣室、トイレ等の衛生設備室に用いられるものであり、図１等に示されるように、表面２に鏡３が設けられている。そして、この鏡３を含めて表面２の全体が透明の保護膜４で被覆されている。壁パネル１は、ＳＭＣ（シートモールディングコンパウンド）層１ａ、発泡スチロール層１ｂ、アルミニウム層１ｃの３層構造に形成されている。
【００１２】
鏡３は、この実施形態では肉厚が、０．２mmに選定され、ステンレスの面状材の表面を研磨することで形成されている。また鏡３は、壁パネル１より小さく形成され、壁パネル１の表面２に、例えば接着剤で貼り付けられ、重合状に設けられている。
【００１３】
また透明の保護膜４は、この実施形態ではやや粘度の高い紫外線硬化型樹脂を塗布することにより形成されている。この保護膜４の厚さは、０．１ｍｍ〜０．４ｍｍ位に、薄く選定される。５は、縞模様等の装飾模様である。この装飾模様５は、例えばシルクスクリーン印刷で施されている。
【００１４】
次に本発明の壁パネル１の製造例を、図２等に従って説明する。
本発明品は、先ず表面２に化粧用の装飾模様５が、例えば印刷される（同図Ａ参照）。次に作業者は、表面２の任意の位置に、鏡３を接着等の手段で固定する（同図Ｂ参照）。そして紫外線硬化型樹脂を、鏡３を含め表面２の全体に塗布し、紫外線を照射して樹脂を硬化させる。樹脂が硬化すると、鏡３と表面２とが一体状にクリアコーティングされた本発明の壁パネル１が完成する（同図Ｃ参照）。
【００１５】
以上の処において、本発明は、例えば図３に示されるように、周辺部３ａが外方に向かうに従って次第に表面２の側に傾斜して傾斜面状に形成されているのでも良い。この実施形態の場合、鏡３は、樹脂板をベースに、厚さが２ｍｍに選定されている。この本発明の場合は、周辺部３ａが、このように傾斜面状に形成されているから、保護膜４が被覆されると、鏡３と表面２とが滑らかにつながった体裁の良い本発明品を提供できる。またこれによると、保護膜４の膜厚を均一化でき、見る位置が異なっても鏡の見え方に差を生じさせることがない。
【００１６】
また本発明は、図４に示されるように、表面２に、鏡３の固定位置を示す模様６が表示され、この模様６を目安にして模様６の位置に鏡３が配置されているのでも良い。
この実施形態では、縦長状の長方形の鏡３に合わせ、鏡３の固定位置を示す模様６としての輪郭が、表面２に長方形状に印刷されている。またこの輪郭は、鏡３の周縁から食み出すよう、鏡３の大きさより幾分大きく表示されている。作業者は、輪郭に合わせて鏡３を配置し、鏡３を表面２に例えば接着して固定し、その後、上例と同様、クリアコーティングして壁パネル１を完成させる。なおこの実施形態では、鏡３の固定位置を示す模様６としての輪郭につなげて装飾模様５が表面２に印刷されている。
【００１７】
而してこの本発明品によると、模様６としての輪郭が鏡３を取り付けるときのガイドとなるため、鏡３の位置決めが容易となる。また輪郭が、鏡３の周縁から食み出すため、鏡３が縁取られ、デザイン上のアクセントになるだけではなく、鏡３を使用するとき、映し出すことができる範囲が明確になるから、その分、使い勝手が良くなるものである。なおこの本発明品の場合、鏡３の裏に対応する表面２の部分には、装飾模様５のインク層を省略してある。従ってこれによると、鏡３を表面２に密着させることができ、鏡３が例えばフィルム状の場合でも、インク層が鏡面の平面度に悪影響を及ぼすことを防止できる。
【００１８】
また上例では、鏡３の固定位置を示す模様６が輪郭であるが、本発明は、図５、図６に示されるように表現されるのでも良い。即ち、図５の実施形態は、鏡３の固定位置を示す模様６が、鏡３の四隅の位置を示す鉤括弧状に形成されているものである。鏡３は、同図Ｂに示されるように、その角が鉤括弧状の模様６の内側の角に位置決められて固定される。従ってこれによると、模様６が鏡３を支持する金具状に見え、デザイン上の斬新性、面白味が生まれ、商品価値の高い本発明品を提供できる。なおこの場合、模様６を立体状に表現すると、鏡３が金具等で支持されているように見えることから、一層、趣きのある本発明品を提供できる。
【００１９】
また図６Ａの実施形態は、模様６が、円を１／４カットした状態であり、同図Ｂは鏡３が楕円形のとき、その上下の弧に合った湾曲形状に形成されている場合である。何れの場合も、鏡３は模様６にあてがわれて固定されると、図５に係る本発明の場合と同様、模様６が支持具状に見え、面白味のある本発明品を提供できる。なおこの模様６は、壁パネル１の表面２の色や装飾模様５に合わせて適宜着色されているのが好ましい。
【図面の簡単な説明】
【００２０】
【図１】本発明の壁部材の好適な一実施形態を示す要部縦断面図である。
【図２】同上壁パネルの製造工程を示し、Ａ、Ｂ、Ｃとも要部縦断面図である。
【図３】同上壁パネルの他の実施形態を示し、Ａは正面図、Ｂは鏡を取り付けたときの要部縦断面図、ＣはＡのＣ−Ｃ線における要部縦断面図である。
【図４】同上壁パネルの他の実施形態を示し、Ａは正面図、ＢはＡのＢ−Ｂ線における要部縦断面図である。
【図５】同上壁パネルの他の実施形態を示し、Ａは正面図、Ｂは鏡を取り付けた状態の正面図である。
【図６】Ａ、Ｂとも、同上壁パネルの更に他の実施形態を示す正面図である。
【符号の説明】
【００２１】
１      壁パネル
２      表面
３      鏡
４      保護膜
【図１】
2008075327.tif 000003
【図２】
2008075327.tif 000004
【図３】
2008075327.tif 000005
【図４】
2008075327.tif 000006
【図５】
2008075327.tif 000007
【図６】
2008075327.tif 000008